(57)【要約】【課題】管理対象装置からの通知信号の負荷を好適に配分することが可能な通信制御システムを提供する。【解決手段】通信制御装置１の制御装置１０は、管理対象装置３０がトラップ監視によるトラップ信号である通知信号を送信する送信先を複数の経由装置２０の中から設定し、複数の経由装置２０の処理負荷を監視し、管理対象装置３０からの通知信号の送信先に設定されている経由装置２０の処理負荷が閾値以上である場合には、処理負荷が閾値未満である経由装置２０、又は、処理負荷が最も小さい経由装置２０に、当該管理対象装置３０からの通知信号の送信先を変更する。【選択図】図１
2017220734.tif 000002
【特許請求の範囲】
【請求項１】
制御装置と、
当該制御装置と複数の管理対象装置とを互いに接続する複数の経由装置と、
を備え、
前記制御装置は、
前記管理対象装置が通知信号を送信する送信先を前記複数の経由装置の中から設定し、
前記複数の経由装置の処理負荷を監視し、
前記管理対象装置からの前記通知信号の送信先に設定されている前記経由装置の前記処理負荷が閾値以上である場合には、前記処理負荷が前記閾値未満である前記経由装置、又は、前記処理負荷が最も小さい前記経由装置に、当該管理対象装置からの前記通知信号の送信先を変更する
ことを特徴とする通信制御システム。
【請求項２】
制御装置と、
当該制御装置と複数の管理対象装置とを互いに接続する複数の経由装置と、
を備え、
前記制御装置は、
前記管理対象装置が通知信号を送信する送信先を前記複数の経由装置の中から設定し、
前記複数の経由装置と前記複数の管理対象装置との間の通信負荷を監視し、
前記管理対象装置からの前記通知信号の送信先に設定されている複数の前記経由装置と当該管理対象装置との間の前記通信負荷の合計が閾値以上である場合には、前記通信負荷が最も大きい前記管理対象装置以外の前記管理対象装置の少なくとも一つの前記通知信号の送信先を他の前記経由装置に変更することによって、前記経由装置の前記通信負荷の合計を前記閾値未満とする
ことを特徴とする通信制御システム。
【請求項３】
制御装置と、当該制御装置と複数の管理対象装置とを互いに接続する複数の経由装置と、を備える通信制御システムにおける通信制御方法であって、
前記制御装置が、前記複数の経由装置の処理負荷を監視するステップと、
前記制御装置が、前記管理対象装置からの通知信号の送信先に設定されている前記経由装置の前記処理負荷が閾値以上である場合に、前記処理負荷が前記閾値未満である前記経由装置、又は、前記処理負荷が最も小さい前記経由装置に、当該管理対象装置からの前記通知信号の送信先を変更するステップと、
を含むことを特徴とする通信制御方法。
【請求項４】
制御装置と、当該制御装置と複数の管理対象装置とを互いに接続する複数の経由装置と、を備える通信制御システムにおける通信制御方法であって、
前記制御装置が、前記複数の経由装置と前記複数の管理対象装置との間の通信負荷を監視するステップと、
前記制御装置が、前記管理対象装置からの通知信号の送信先に設定されている複数の前記経由装置と当該管理対象装置との間の前記通信負荷の合計が閾値以上である場合に、前記通信負荷が最も大きい前記管理対象装置以外の前記管理対象装置の少なくとも一つの前記通知信号の送信先を他の前記経由装置に変更することによって、前記経由装置の前記通信負荷の合計を前記閾値未満とするステップと、
を含むことを特徴とする通信制御方法。
【請求項５】
制御装置と、当該制御装置と複数の管理対象装置とを互いに接続する複数の経由装置と、を備える通信制御システムにおける前記制御装置としてのコンピュータに、
前記複数の経由装置の処理負荷を監視する手順、
前記管理対象装置からの通知信号の送信先に設定されている前記経由装置の前記処理負荷が閾値以上である場合に、前記処理負荷が前記閾値未満である前記経由装置、又は、前記処理負荷が最も小さい前記経由装置に、当該管理対象装置からの前記通知信号の送信先を変更する手順、
を実行させる通信制御プログラム。
【請求項６】
制御装置と、当該制御装置と複数の管理対象装置とを互いに接続する複数の経由装置と、を備える通信制御システムにおける前記制御装置としてのコンピュータに、
前記複数の経由装置と前記複数の管理対象装置との間の通信負荷を監視する手順、
前記管理対象装置からの通知信号の送信先に設定されている複数の前記経由装置と当該管理対象装置との間の前記通信負荷の合計が閾値以上である場合に、前記通信負荷が最も大きい前記管理対象装置以外の前記管理対象装置の少なくとも一つの前記通知信号の送信先を他の前記経由装置に変更することによって、前記経由装置の前記通信負荷の合計を前記閾値未満とする手順、
を実行させる通信制御プログラム。
【発明の詳細な説明】
【技術分野】
【０００１】
本発明は、制御装置が複数の経由装置を介して複数の管理対象装置を制御する技術に関する。
【背景技術】
【０００２】
従来、制御装置が管理対象装置を制御する際に、ロードバランサによる負荷分散処理を行うことによって、制御信号が経由する経由装置の処理負荷等を分散させることが行われている。特許文献１に記載の技術では、制御装置が管理対象装置へ向けて発信する制御信号が経由する経由装置を変更することによって、経由装置の負荷が配分されている。
【先行技術文献】
【特許文献】
【０００３】
【特許文献１】特開２０１５−１６２０６１号公報
【発明の概要】
【発明が解決しようとする課題】
【０００４】
特許文献１に記載システムでは、管理対象装置が警報等の通知信号を経由装置へ送信することがある。かかる通知信号の送信先は、予め設定されており、変更を想定したものではない。しかし、警報等の通知信号は、一度に大量に送信される場合があり、経由装置の負荷に多大な影響を与えるおそれがある。また、経由装置の負荷が許容量を超えた場合には、経由装置が通知信号を制御装置へ転送することができず、通知信号がロストしてしまうおそれがある。
【０００５】
本発明は、前記事情に鑑みて創案されたものであり、管理対象装置からの通知信号の負荷を好適に配分することが可能な通信制御システム、通信制御方法及び通信制御プログラムを提供することを課題とする。
【課題を解決するための手段】
【０００６】
前記課題を解決するために、本発明の通信制御システムは、制御装置と、当該制御装置と複数の管理対象装置とを互いに接続する複数の経由装置と、を備え、前記制御装置は、前記管理対象装置が通知信号を送信する送信先を前記複数の経由装置の中から設定し、前記複数の経由装置の処理負荷を監視し、前記管理対象装置からの前記通知信号の送信先に設定されている前記経由装置の前記処理負荷が閾値以上である場合には、前記処理負荷が前記閾値未満である前記経由装置、又は、前記処理負荷が最も小さい前記経由装置に、当該管理対象装置からの前記通知信号の送信先を変更することを特徴とする。
【０００７】
かかる構成によると、処理負荷が大きい経由装置を管理対象装置からの通知信号の送信先から外し、処理負荷が小さい経由装置を送信先に設定する。したがって、管理対象装置からの通知信号の処理負荷を好適に配分することができる。
【０００８】
また、本発明の通信制御システムは、制御装置と、当該制御装置と複数の管理対象装置とを互いに接続する複数の経由装置と、を備え、前記制御装置は、前記管理対象装置が通知信号を送信する送信先を前記複数の経由装置の中から設定し、前記複数の経由装置と前記複数の管理対象装置との間の通信負荷を監視し、前記管理対象装置からの前記通知信号の送信先に設定されている複数の前記経由装置と当該管理対象装置との間の前記通信負荷の合計が閾値以上である場合には、前記通信負荷が最も大きい前記管理対象装置以外の前記管理対象装置の少なくとも一つの前記通知信号の送信先を他の前記経由装置に変更することによって、前記経由装置の前記通信負荷の合計を前記閾値未満とすることを特徴とする。
【０００９】
かかる構成によると、一の経由装置の通信負荷の合計が大きい場合に、通信負荷が最も大きい管理対象装置の通知信号の送信先をそのままとし、それ以外の管理対象装置の少なくとも一つの通知信号の送信先を他の経由装置に変更し、通信負荷の合計を閾値未満に抑える。したがって、管理対象装置からの通知信号の通信負荷を好適に配分し、通信負荷が最も大きい管理対象装置からの通知信号の送信のロスト及び遅延を抑制するとともに、その他の管理対象装置からの通知信号の送信のロスト及び遅延も抑制することができる。
【００１０】
また、本発明の通信制御方法は、制御装置と、当該制御装置と複数の管理対象装置とを互いに接続する複数の経由装置と、を備える通信制御システムにおける通信制御方法であって、前記制御装置が、前記複数の経由装置の処理負荷を監視するステップと、前記制御装置が、前記管理対象装置からの通知信号の送信先に設定されている前記経由装置の前記処理負荷が閾値以上である場合に、前記処理負荷が前記閾値未満である前記経由装置、又は、前記処理負荷が最も小さい前記経由装置に、当該管理対象装置からの前記通知信号の送信先を変更するステップと、を含むことを特徴とする。
【００１１】
また、本発明の通信制御方法は、制御装置と、当該制御装置と複数の管理対象装置とを互いに接続する複数の経由装置と、を備える通信制御システムにおける通信制御方法であって、前記制御装置が、前記複数の経由装置と前記複数の管理対象装置との間の通信負荷を監視するステップと、前記制御装置が、前記管理対象装置からの通知信号の送信先に設定されている複数の前記経由装置と当該管理対象装置との間の前記通信負荷の合計が閾値以上である場合に、前記通信負荷が最も大きい前記管理対象装置以外の前記管理対象装置の少なくとも一つの前記通知信号の送信先を他の前記経由装置に変更することによって、前記経由装置の前記通信負荷の合計を前記閾値未満とするステップと、を含むことを特徴とする。
【００１２】
また、本発明は、制御装置としてのコンピュータに前記ステップを実行させる通信制御プログラムとしても具現化可能である。
【発明の効果】
【００１３】
本発明によると、管理対象装置からの通知信号の負荷（制御負荷又は通信負荷）を好適に配分することができる。
【図面の簡単な説明】
【００１４】
【図１】本発明の実施形態に係る通信制御システムを示す模式図である。
【図２】本発明の実施形態に係る通信制御システムの動作例を説明するシーケンス図である。
【図３】本発明の実施形態に係る通信制御システムの動作例を説明するシーケンス図である。
【発明を実施するための形態】
【００１５】
続いて、本発明の実施形態について図面を参照して説明する。図１に示すように、本発明の実施形態に係る通信制御システム１は、制御装置１０と、複数の経由装置２０と、複数の管理対象装置３０と、を備える。制御装置１０は、複数の経由装置２０と通信可能に接続されている。複数の経由装置２０は、複数の管理対象装置３０のそれぞれと通信可能に接続されている。
【００１６】
＜制御装置＞
制御装置１０は、制御信号を生成し、生成された制御信号を経由装置２０を介して管理対象装置３０へ送信することによって、管理対象装置３０を制御する。制御装置１０は、ＣＰＵ（Central Processing Unit）、ＲＯＭ（Read-Only Memory）、ＲＡＭ（Random Access Memory）、入出力回路等によって構成されているサーバ装置である。制御装置１０は、複数の経由装置２０を介した複数の管理対象装置３０との通信において、通信に用いる経由装置２０を適宜設定したり切り換えたりすることによって経由装置２０の負荷を分散する、いわゆるロードバランサとしての機能を有する。制御装置１０は、機能部として、負荷監視部１１と、管理対象装置制御部１２と、通知信号経路制御部１３と、を備える。
【００１７】
≪負荷監視部≫
負荷監視部１１は、複数の経由装置２０の処理負荷と、複数の経由装置２０の通信負荷と、を監視する。経由装置２０の処理負荷は、経由装置２０内での情報処理に関する負荷であって、例えば経由装置２０のＣＰＵ使用率である。経由装置２０の通信負荷は、経由装置２０と複数の管理対象装置３０のそれぞれとの通信に関する負荷であって、例えば通信量、通信時間、通信速度（例えば、通信速度の逆数）である。
【００１８】
負荷監視部１１は、処理負荷要求信号を複数の経由装置２０へ定期的に送信する。複数の経由装置２０は、処理負荷要求信号を受信すると、自装置の処理負荷を負荷監視部１１へ送信する。負荷監視部１１は、複数の経由装置２０によって送信された処理負荷を受信し、受信された処理負荷を管理対象装置制御部１２及び通知信号経路制御部１３へ出力する。
【００１９】
また、負荷監視部１１は、通信負荷要求信号を複数の経由装置２０へ定期的に送信する。複数の経由装置２０は、通信負荷要求信号を受信すると、自装置の複数の管理対象装置３０それぞれとの通信負荷を負荷監視部１１へ送信する。負荷監視部１１は、複数の経由装置２０によって送信された通信負荷を受信し、受信された通信負荷を管理対象装置制御部１２及び通知信号経路制御部１３へ出力する。
【００２０】
≪管理対象装置制御部≫
管理対象装置制御部１２は、制御信号を複数の経由装置２０のいずれかを介して管理対象装置３０へ送信することによって、管理対象装置３０を制御する。管理対象装置制御部１２は、負荷監視部１１から出力された処理負荷及び通信負荷を取得し、取得された処理負荷及び通信負荷に基づいて、制御信号の経由先である経由装置２０を選択する。
【００２１】
管理対象装置制御部１２は、一の管理対象装置３０への制御信号を送信する際に、複数の経由装置２０の処理負荷に基づいて、処理負荷が最も小さい経由装置２０を制御信号の転送先として選択する。この場合において、管理対象装置制御部１２は、一の管理対象装置３０と選択された経由装置２０との通信負荷が予め設定された通信負荷閾値（例えば、２０ＫｂｙｔｅのＰＩＮＧの返答速度（返答時間）１０ｍｓ）以上である場合には、他の経由装置２０を制御信号の転送先として選択する。
【００２２】
≪通知信号経路制御部≫
通知信号経路制御部１３は、管理対象装置３０が通知信号を送信する経路（すなわち、送信先である経由装置２０）を設定する。なお、通知信号の経路の初期設定は、任意である。通知信号経路制御部１３は、負荷監視部１１から出力された処理負荷及び通信負荷を取得し、取得された処理負荷及び通信負荷に基づいて、通知信号の経路を変更する。
【００２３】
通知信号は、制御装置１０からの制御信号に応じた返信信号等ではなく、管理対象装置３０が経由装置２０へ自発的に送信する信号である。通知信号としては、管理対象装置３０が自装置のトラップ監視を行った結果としてのトラップ信号、管理対象装置３０が自装置の状態変化を通知するためのトラップ信号、が挙げられる。トラップ監視によるトラップ信号としては、自装置の故障を通知するための信号、自装置の回復を通知するための信号が挙げられる。状態変化によるトラップ信号としては、自装置の状態変化を通知するための信号が挙げられる。
【００２４】
通知信号経路制御部１３は、管理対象装置３０からの通知信号の送信先に設定されている一の経由装置２０の処理負荷が予め設定された処理負荷閾値（例えば、ＣＰＵ使用率８０％）以上である場合には、処理負荷が処理負荷閾値未満である経由装置２０、又は、処理負荷が最も小さい経由装置２０に、管理対象装置３０からの通知信号の送信先を変更する。
【００２５】
また、通知信号経路制御部１３は、経由装置２０と当該経由装置２０が通知信号の送信先に設定されている複数の管理対象装置３０との間の通信負荷の合計が通信負荷閾値以上である場合には、通信負荷が最も大きい管理対象装置３０以外の管理対象装置３０の少なくとも一つの通知信号の送信先を他の経由装置２０に変更することによって、経由装置２０の通信負荷の合計を通信負荷閾値未満とする。ここで、通知信号経路制御部１３は、変更前において通信負荷の合計が通信負荷閾値以上であった経由装置２０においても、通知信号の送信先の変更先である経由装置２０においても、変更後の通信負荷の合計が通信負荷閾値未満となるように、変更対象となる管理対象装置３０及び変更先の経由装置２０を選択する。
【００２６】
＜経由装置＞
経由装置２０は、制御装置１０によって送信された制御信号を受信し、受信された制御信号を該当する管理対象装置３０へ送信する。また、経由装置２０は、管理対象装置３０によって送信された通知信号を受信し、受信された通知信号をロードバランサ１０へ送信する。また、経由装置２０は、制御装置１０による監視に応じて、自装置の処理負荷及び複数の管理対象装置３０との通信負荷を制御装置１０へ送信する。
【００２７】
＜管理対象装置＞
管理対象装置３０は、制御装置１０によって送信された制御信号を経由装置２０を介して受信し、受信された制御信号に基づく処理を行うネットワーク装置である。また、管理対象装置３０は、通知信号を経由装置２０へ送信する。本実施形態において、管理対象装置３０は、自装置の故障診断等を行い、診断結果に基づく通知信号（警報等）を経由装置２０へ送信する。本実施形態において、管理対象装置３０は、経由装置２０からのＰＩＮＧ等によらずに自発的に故障診断等を行う所謂トラップ監視を行い、通知信号としてトラップ信号を送信する。
【００２８】
＜動作例＞
続いて、本発明の通信制御システム１の動作例について、図２及び図３を用いて説明する（適宜図１参照）。以下の動作例において、通信制御システム１は、２つの経由装置２０Ａ，２０Ｂと、３つの管理対象装置３０Ａ，３０Ｂ，３０Ｃと、を備える。
【００２９】
≪第一の動作例≫
図２に示すように、本動作例の初期状態として、管理対象装置３０Ａによる通知信号の宛先は、経由装置２０Ａに設定されている。したがって、管理対象装置３０Ａは、通知信号（警報等）を経由装置２０Ａへ送信する（ステップＳ１）。なお、図示は省略するが、経由装置２０Ａは、通知信号を受信すると、受信された通知信号を制御装置１０へ送信する。制御装置１０は、通知信号を受信すると、必要に応じて、受信された通知信号に基づいて制御信号を生成し、生成された制御信号を経由装置２０Ａを介して管理対象装置３０Ａへ送信する。
【００３０】
一方、経由装置２０Ａ，２０Ｂは、自装置の処理負荷を定期的に算出する（ステップＳ２Ａ，Ｓ２Ｂ）。
【００３１】
制御装置１０の負荷監視部１１は、経由装置２０Ａ，２０Ｂに対して、処理負荷要求信号を定期的に送信する（ステップＳ３Ａ，Ｓ３Ｂ）。経由装置２０Ａ，２０Ｂは、処理負荷要求信号を受信すると、自装置の処理負荷を制御装置１０へ送信する（ステップＳ４Ａ，Ｓ４Ｂ）。
【００３２】
制御装置１０の負荷監視部１１は、処理負荷を受信し、制御装置１０の通知信号経路制御部１３は、受信された処理負荷と予め設定された処理負荷閾値との比較を行う（閾値判定、ステップＳ５）。本動作例では、経由装置２０Ａの処理負荷は、処理負荷閾値以上であり、経由装置２０Ｂの処理負荷は、処理負荷閾値未満である。
なお、処理負荷閾値は、全ての経由装置２０で同一であってもよく、経由装置２０ごとに異なる値であってもよい。
【００３３】
続いて、制御装置１０の通知信号経路制御部１３は、管理対象装置３０Ａの通知信号の送信先として、処理負荷が処理負荷閾値未満である経由装置２０Ｂを選択する（ステップＳ６）。続いて、制御装置１０の通知信号経路制御部１３は、選択された通知信号送信先を、選択された経由装置２０Ｂへ送信する（ステップＳ７）。続いて、経由装置２０Ｂは、通知信号送信先を、管理対象装置３０Ａへ送信する（ステップＳ８）。管理対象装置３０Ａは、通知信号送信先を受信すると、受信された通知信号送信先を自装置の通知信号の送信先に設定する。したがって、通知信号の送信先が変更された管理対象装置３０Ａは、通知信号（警報等）を経由装置２０Ｂへ送信する（ステップＳ９）。なお、ステップＳ７，Ｓ８において、通知信号送信先は、経由装置２０Ａ，２０Ｂ以外の経由装置２０を介して転送される構成であってもよい。
【００３４】
≪第二の動作例≫
図３に示すように、本動作例の初期状態として、管理対象装置３０Ａ〜３０Ｃによる通知信号の宛先は、経由装置２０Ａに設定されている。したがって、管理対象装置３０Ａは、通知信号（警報等）を経由装置２０Ａへ送信する（ステップＳ１１）。ステップＳ１１において、管理対象装置３０Ａは、大量の通知信号を経由装置２０Ａへ送信している。なお、図示は省略するが、経由装置２０Ａは、通知信号を受信すると、受信された通知信号を制御装置１０へ送信する。制御装置１０は、通知信号を受信すると、必要に応じて、受信された通知信号に基づいて制御信号を生成し、生成された制御信号を経由装置２０Ａを介して管理対象装置３０Ａへ送信する。
【００３５】
一方、経由装置２０Ａ，２０Ｂは、自装置の各管理対象装置３０Ａ〜３０Ｂとの通信負荷を定期的に確認する（ステップＳ１２Ａ〜Ｓ１４Ａ，Ｓ１２Ｂ〜Ｓ１４Ｂ）。
【００３６】
制御装置１０の負荷監視部１１は、経由装置２０Ａ，２０Ｂに対して、通信負荷要求信号を定期的に送信する（ステップＳ１５Ａ，Ｓ１５Ｂ）。経由装置２０Ａ，２０Ｂは、通信負荷要求信号を受信すると、自装置の各管理対象装置３０Ａ〜３０Ｂとの通信負荷をロードバランサ１０へ送信する（ステップＳ１６Ａ，Ｓ１６Ｂ）。
【００３７】
制御装置１０の負荷監視部１１は、通信負荷を受信し、制御装置１０の通知信号経路制御部１３は、受信された通信負荷と予め設定された通信負荷閾値との比較を行う（閾値判定、ステップＳ１７）。本動作例では、経由装置２０Ａの管理対象装置３０Ａ，３０Ｂ，３０Ｃとの通信負荷の合計は、通信負荷閾値以上であり、経由装置２０Ｂの通信負荷の合計は、通信負荷閾値未満である。また、経由装置２０Ａにおいて、管理対象装置３０Ａの通信負荷は、管理対象装置３０Ｂ，３０Ｃそれぞれの通信負荷よりも大きい。
【００３８】
続いて、制御装置１０の通知信号経路制御部１３は、管理対象装置３０Ｂ，３０Ｃの通知信号の送信先として、経由装置２０Ａ以外の経由装置２０の中から、通信負荷の合計が最も小さい（例えば、通信速度が最も速い）経由装置２０Ｂを選択する（ステップＳ１８）。続いて、制御装置１０の通知信号経路制御部１３は、選択された経由装置２０Ｂへ送信する（ステップＳ１９）。続いて、経由装置２０Ｂは、通知信号送信先を、管理対象装置３０Ｂ，３０Ｃへ送信する（ステップＳ２０Ｂ，Ｓ２０Ｃ）。管理対象装置３０Ｂ，３０Ｃは、通知信号送信先を受信すると、受信された通知信号送信先を自装置の通知信号の送信先に設定する。したがって、、通知信号の送信先が変更された管理対象装置３０Ｂ，３０Ｃは、通知信号（警報等）を経由装置２０Ｂへ送信する（ステップＳ２１Ｂ，Ｓ２１Ｃ）。
【００３９】
なお、経由装置２０Ａにおいて、管理対象装置３０Ａ，３０Ｂの通信負荷の合計が通信負荷閾値未満である場合には、通知信号経路制御部１３は、管理対象装置３０Ｃのみの通知信号の送信先を変更する構成であってもよい。
ここで、通知信号経路制御部１３は、通信負荷の合計が通信負荷閾値以上である経由装置２０に関して、通信負荷の大きさが２番目以降の管理対象装置３０のうち、通信負荷が大きい方から順に通知信号の送信先を変更することを、当該経由装置２０の通信負荷の合計が通信負荷閾値未満となるまで繰り返す構成であってもよい。
また、通知信号経路制御部１３は、通信負荷の合計が通信負荷閾値以上である経由装置２０に関して、通信負荷の大きさが２番目以降の管理対象装置３０のうち、通信負荷が小さい方から順に通知信号の送信先を変更することを、当該経由装置２０の通信負荷の合計が通信負荷閾値未満となるまで繰り返す構成であってもよい。
また、通知信号経路制御部１３は、通知信号の送信先の変更先として、変更前における通信負荷の合計が最も小さい管理対象装置３０を選択する構成であってもよい。
【００４０】
また、変形例として、通知信号経路制御部１３は、経由装置２０において、当該経由装置２０を通知信号の送信先とする一の管理対象装置３０の通信負荷が通信負荷閾値（個別通信負荷閾値）以上である場合に、当該経由装置２０を通知信号の送信先とする他の管理対象装置３０の少なくとも一つの通知信号の送信先を、他の経由装置２０に変更する構成であってもよい。
この場合において、通知信号経路制御部１３は、通知信号の送信先の変更先の経由装置２０の変更後の通信負荷の合計が通信負荷閾値（合計通信負荷閾値）未満となるように、変更先の経由装置２０を選択する構成であってもよい。
また、通知信号経路制御部１３は、変更後における当該経由装置２０の通信負荷の合計が通信負荷閾値（合計通信負荷閾値）未満となるように、変更対象となる管理対象装置３０を選択する構成であってもよい。
ここで、合計通信負荷閾値及び個別通信負荷閾値の設定としては、個別通信負荷閾値を合計通信負荷閾値の所定割合に設定することが可能である。例えば、合計通信負荷閾値を１００としたとき、個別通信負荷閾値を６０とすることができる。
なお、合計通信負荷閾値及び個別通信負荷閾値のそれぞれは、全ての経由装置２０で同一であってもよく、経由装置２０ごとに異なる値であってもよい。
【００４１】
本発明の実施形態に係る通信制御システム１及び当該通信制御システム１による通信制御方法は、処理負荷が大きい経由装置２０を管理対象装置３０からの通知信号の送信先から外し、処理負荷が小さい経由装置を送信先に設定する。したがって、管理対象装置３０からの通知信号の処理負荷を好適に配分することができる。
【００４２】
また、通信制御システム１及び当該通信制御システム１による通信制御方法は、一の経由装置２０の通信負荷の合計が大きい場合に、通信負荷が最も大きい管理対象装置３０の通知信号の送信先をそのままとし、それ以外の管理対象装置３０の少なくとも一つの通知信号の送信先を他の経由装置２０に変更し、通信負荷の合計を閾値未満に抑える。したがって、管理対象装置３０からの通知信号の通信負荷を好適に配分し、通信負荷が最も大きい管理対象装置３０からの通知信号の送信のロスト及び遅延を抑制するとともに、その他の管理対象装置３０からの通知信号の送信のロスト及び遅延も抑制することができる。
【００４３】
以上、本発明の実施形態について説明したが、本発明は前記実施形態に限定されず、本発明の要旨を逸脱しない範囲で適宜変更可能である。例えば、通信制御システム１は、第一の動作例及び第二の動作例を適宜組み合わせて実行することができる。また、本発明は、コンピュータを制御装置１０として機能させる通信制御プログラム、又は、コンピュータに制御装置１０の動作例を実行させる通信制御プログラムとしても具現化可能である。
【符号の説明】
【００４４】
１      通信制御システム
１０    制御装置
２０，２０Ａ，２０Ｂ  経由装置
３０，３０Ａ，３０Ｂ，３０Ｃ  管理対象装置
【図１】
2017220734.tif 000003
【図２】
2017220734.tif 000004
【図３】
2017220734.tif 000005